(57)【要約】【課題】従来技術においては、例えば、昇降機と当該昇降機が設けられる建物との電力面での連係の点でさらなる改善の余地がある。【解決手段】実施形態の昇降機を備えた建物の電力システムは、蓄電装置と、昇降機と、制御装置とを備えることを特徴とする。蓄電装置は、建物の電気設備を作動させる電力を蓄電可能である。昇降機は、前記建物に設けられ前記蓄電装置からの電力により昇降する。制御装置は、前記建物の電力使用量に関する情報を取得し、当該建物の電力使用量がピークカット開始判定値を超えた場合に前記昇降機を通常運転からパーキング状態とし、当該昇降機のパーキング状態で、前記建物の電力使用量が前記ピークカット開始判定値より小さいピークカット復帰判定値を下回った場合に、前記昇降機を前記パーキング状態から前記通常運転に復帰させるピークカット制御を実行可能である。【選択図】図１
2014117040.tif 000002
【特許請求の範囲】
【請求項１】
建物の電気設備を作動させる電力を蓄電可能である蓄電装置と、
前記建物に設けられ前記蓄電装置からの電力により昇降する昇降機と、
前記建物の電力使用量に関する情報を取得し、当該建物の電力使用量がピークカット開始判定値を超えた場合に前記昇降機を通常運転からパーキング状態とし、当該昇降機のパーキング状態で、前記建物の電力使用量が前記ピークカット開始判定値より小さいピークカット復帰判定値を下回った場合に、前記昇降機を前記パーキング状態から前記通常運転に復帰させるピークカット制御を実行可能である制御装置とを備えることを特徴とする、
昇降機を備えた建物の電力システム。
【請求項２】
前記建物の電力使用量は、予め設定される所定期間の移動平均に基づいて算出される、
請求項１に記載の昇降機を備えた建物の電力システム。
【請求項３】
前記ピークカット開始判定値、及び、前記ピークカット復帰判定値は、前記蓄電装置の残存蓄電量に基づいて設定される、
請求項１又は請求項２に記載の昇降機を備えた建物の電力システム。
【請求項４】
前記ピークカット開始判定値、及び、前記ピークカット復帰判定値は、予め設定される前記建物の設定許容使用量に基づいて設定される、
請求項１乃至請求項３のいずれか１項に記載の昇降機を備えた建物の電力システム。
【請求項５】
前記制御装置は、前記昇降機が設けられる建物とは別の他の建物と連係し、前記昇降機が設けられる建物の電力使用量と前記他の建物の電力使用量との合計の電力使用量に基づいて、前記ピークカット制御を実行可能である、
請求項１乃至請求項４のいずれか１項に記載の昇降機を備えた建物の電力システム。
【請求項６】
前記通常運転とは、前記昇降機を昇降させる状態であり、
前記パーキング状態とは、前記昇降機の昇降を停止させ当該昇降機での電力使用量を前記通常運転のときより抑制した状態である、
請求項１乃至請求項５のいずれか１項に記載の昇降機を備えた建物の電力システム。
【発明の詳細な説明】
【技術分野】
【０００１】
本発明の実施形態は、昇降機を備えた建物の電力システムに関する。
【背景技術】
【０００２】
従来、建物に設けられる昇降機、例えば、エレベータは、昇降路内を乗りかごが移動することにより、乗りかごを任意の階床に移動させる。このような昇降機は、省エネルギを達成するために種々の制御が実行される場合がある。
【先行技術文献】
【特許文献】
【０００３】
【特許文献１】特開平０９−２５５２４２号公報
【発明の概要】
【発明が解決しようとする課題】
【０００４】
ところで、従来技術においては、例えば、昇降機と当該昇降機が設けられる建物との電力面での連係の点でさらなる改善の余地がある。
【課題を解決するための手段】
【０００５】
実施形態の昇降機を備えた建物の電力システムは、蓄電装置と、昇降機と、制御装置とを備えることを特徴とする。蓄電装置は、建物の電気設備を作動させる電力を蓄電可能である。昇降機は、前記建物に設けられ前記蓄電装置からの電力により昇降する。制御装置は、前記建物の電力使用量に関する情報を取得し、当該建物の電力使用量がピークカット開始判定値を超えた場合に前記昇降機を通常運転からパーキング状態とし、当該昇降機のパーキング状態で、前記建物の電力使用量が前記ピークカット開始判定値より小さいピークカット復帰判定値を下回った場合に、前記昇降機を前記パーキング状態から前記通常運転に復帰させるピークカット制御を実行可能である。
【図面の簡単な説明】
【０００６】
【図１】図１は、実施形態に係る電力システムの概略構成例を示すブロック図である。
【図２】図２は、実施形態に係る統合制御装置の概略構成例を示すブロック図である。
【図３】図３は、実施形態に係る電力システムにおける制御の一例を説明するフローチャートである。
【図４】図４は、実施形態に係る電力システムにおける動作の一例を説明する線図である。
【発明を実施するための形態】
【０００７】
［実施形態］
図１は、実施形態に係る電力システムの概略構成例を示すブロック図である。図２は、実施形態に係る統合制御装置の概略構成例を示すブロック図である。図３は、実施形態に係る電力システムにおける制御の一例を説明するフローチャートである。図４は、実施形態に係る電力システムにおける動作の一例を説明する線図である。
【０００８】
図１に示す本実施形態の電力システム１は、典型的には、昇降機３を備えた建物１００の全体で電力のマネージメントを効率的に行い、省エネルギで昇降機３を運用するためのシステムである。この電力システム１は、昇降機３と当該昇降機３が設けられる建物１００での電力使用状態とを連係させて、適正に昇降機３を運転させるものである。また、この電力システム１は、昇降機３が設けられる建物（建物Ａ）１００とは別の他の建物（建物Ｂ、Ｃ）２００、３００とも連係可能であり、これら建物１００、２００、３００を含む地域全体で電力のマネージメントを効率的に行うことも可能なシステムである。
【０００９】
具体的には、電力システム１は、蓄電装置２と、昇降機３と、制御装置４とを備える。制御装置４は、受電変換器４１、切替器４２、切替器４３、インバータ４４、統合制御装置４５、エレベータ制御装置４６、バッテリ制御装置４７等を含んで構成される。本実施形態の電力システム１は、例えば、蓄電装置２を昇降機３の電源としてだけでなく、昇降機３が設置されている建物１００の電気設備１０１の電源としても用いる。電力システム１は、制御装置４による各種制御によって、昇降機３の電力状態と建物１００側の電力状態とを協調させ、蓄電装置２に蓄電されている電力を有効に活用して昇降機３を効率的に運転する。
【００１０】
蓄電装置２は、建物１００の電気設備１０１を作動させる電力を蓄電可能なものであると共に、当該蓄電された電力によって昇降機３を運転させることも可能である。蓄電装置２は、電力を蓄電可能な二次電池である。本実施形態の蓄電装置２は、３つのバッテリ２１、２２、２３により構成されるものとして説明するが、これに限らず、２つ、あるいは、４つ以上のバッテリを含んで構成されてもよいし、１つのバッテリで構成されてもよい。ここでは、バッテリ２１、２２は、典型的には、主に昇降機３以外の建物１００側の電気設備１０１で使用される電力を蓄電するバッテリ（建物用）である。これに対して、バッテリ２３は、典型的には、主に昇降機３側で使用される電力を蓄電するバッテリ（ＥＬ用）である。蓄電装置２の各バッテリ２１、２２、２３は、後述するように種々の電力源からの電力が受電変換器４１、切替器４２等を介して供給され充電される。蓄電装置２は、各バッテリ２１、２２、２３が制御装置４の切替器４２等を介して相互に接続されており、当該切替器４２を介して各バッテリ２１、２２、２３間で相互に電力の授受を行うことができる。また、バッテリ２１、２２の電力は、主として電気設備１０１側で優先的に用いられるがこれに限らず、必要に応じて当該切替器４２等を介して昇降機３側で用いることも可能である。同様に、バッテリ２３は、主として昇降機３側で優先的に用いられるがこれに限らず、必要に応じて当該切替器４２等を介して電気設備１０１側で用いることも可能である。また、各バッテリ２１、２２、２３は、それぞれ、各バッテリ２１、２２、２３の電流を検出する電流計２４、各バッテリ２１、２２、２３の電圧を検出する電圧計２５が設けられている。
【００１１】
ここで、建物１００の電気設備１０１は、建物１００に設置され、電力が供給されることで作動する種々の電気機器を含む。電気設備１０１としては、例えば、建物１００の照明機器、上下水道ポンプ、各種セキュリティ機器、空調機器、機械駐車場駆動装置、医療機器等のうち少なくとも１つを含んでいてもよい。
【００１２】
昇降機３は、建物１００に設けられ、蓄電装置２からの電力により昇降するものである。昇降機３は、蓄電装置２の電力を用いて昇降動作する。昇降機３は、例えば、エレベータ及び乗客コンベアを含む概念であり、乗客コンベアは、エスカレータ及び動く歩道を含むものである。なお、以下の説明では、昇降機３は、エレベータであるものとして説明する。
【００１３】
昇降機３は、乗りかご３１がそれぞれ昇降路を昇降することで運行サービスを行う。昇降機３は、乗りかご３１、カウンタウェイト３２、メインロープ３３、巻上機３４、乗場３５等を含んで構成される。昇降機３は、乗りかご３１とカウンタウェイト３２とをメインロープ３３で連結したいわゆるつるべ式のエレベータである。昇降機３は、制御装置４のエレベータ制御装置４６によって各部の駆動が制御されて乗りかご３１が昇降路内を昇降することで、任意の目的階の乗場３５に移動することができるものである。
【００１４】
乗りかご３１は、建物１００に設けられた昇降路を昇降可能である。乗りかご３１は、かご操作盤３６や荷重検出器３７等を含んで構成される。かご操作盤３６は、乗りかご３１の内部に設けられる。かご操作盤３６は、利用者による操作入力に応じていわゆるかご呼び登録等を行う。荷重検出器３７は、乗りかご３１内の積載荷重を検出する。
【００１５】
カウンタウェイト３２は、乗りかご３１に対するつり合おもりである。
【００１６】
メインロープ３３は、昇降路の上部に設けられた巻上機３４のメインシーブ３４ａやそらせシーブ（不図示）等に掛けられる。メインロープ３３は、一端に乗りかご３１が接続され、他端にカウンタウェイト３２が接続される。
【００１７】
巻上機３４は、昇降体としての乗りかご３１及びカウンタウェイト３２を昇降する昇降駆動部であり、例えば、メインシーブ３４ａ、電動機（モータ）３４ｂ等を含んで構成される。電動機３４ｂは、蓄電装置２のバッテリ２３等から、制御装置４の切替器４３、インバータ４４等を介して電力が供給される。巻上機３４は、電動機３４ｂが駆動することで、この電動機３４ｂに連結されたメインシーブ３４ａが回転駆動する。そして、巻上機３４は、メインシーブ３４ａとメインロープ３３との間に生じる摩擦力を利用してメインロープ３３を電動で巻き上げる。また、電動機３４ｂは、回生発電も可能である。つまり、この電動機３４ｂは、いわゆる回転電機であり、供給された電力を機械的動力に変換する電動機としての機能（力行機能）と、入力された機械的動力を電力に変換する発電機としての機能（回生機能）とを兼ね備えている。
【００１８】
乗場３５は、乗りかご３１が着床可能な各エレベータ停止階床に設けられる。乗場３５は、乗場操作盤３８等を含んで構成される。乗場操作盤３８は、利用者による操作入力に応じていわゆる乗場呼び登録等を行う。
【００１９】
また、この昇降機３は、案内装置としてのかご案内装置３９Ａ及び乗場案内装置３９Ｂを備える。かご案内装置３９Ａ、乗場案内装置３９Ｂは、昇降機３の運転に関する案内等を行うものである。かご案内装置３９Ａは、乗りかご３１内に設けられる。乗場案内装置３９Ｂは、各乗場３５に少なくとも１つずつ設けられる。かご案内装置３９Ａ、乗場案内装置３９Ｂは、例えば、報知音を出力可能なブザー、種々の音声情報をアナウンス可能なスピーカ、種々の表示情報を表示可能な表示装置等を含んで構成される。なお、かご案内装置３９Ａは、かご操作盤３６を含むＣＯＰ（Ｃａｒ  Ｏｐｅｒａｔｉｏｎ  Ｐａｎｅｒｌ）に組み込まれて設けられてもよい。また、乗場案内装置３９Ｂは、乗場操作盤３８を含むＨＩＢ（Ｈａｌｌ  Ｉｎｄｉｃａｔｏｒ  Ｂｏｘ）に組み込まれて設けられてもよい。
【００２０】
制御装置４は、受電変換器４１、切替器４２、切替器４３、インバータ４４、統合制御装置４５、エレベータ制御装置４６、バッテリ制御装置４７等により、電力システム１の各部を制御するものである。なお、統合制御装置４５、エレベータ制御装置４６、及び、バッテリ制御装置４７は、一体で１つの制御装置により構成されるものであってもよい。
【００２１】
受電変換器４１は、種々の電力源からの電力を受電し、受電した電力を蓄電装置２に充電可能な直流電力に変換するものである。受電変換器４１は、例えば、コンバータや整流器等の種々の変換器、変換回路を含んで構成される。受電変換器４１に電力を供給する種々の電力源としては、例えば、太陽光パネル５や商用電源４００等を用いることができる。太陽光パネル５は、例えば、建物１００の屋上等に設けられる。太陽光パネル５は、複数の太陽電池を相互接続して構成され、光起電力効果を利用し、光エネルギを直接電力に変換する機器である。商用電源４００は、例えば、建物１００の外部に設けられる三相交流電源である。さらに、受電変換器４１は、建物１００とは別の建物２００、３００を電力源とし、当該建物２００、３００から電力を受電し、あるいは、建物１００と建物２００、３００との間で連係させて相互に電力を融通するようにしてもよい。受電変換器４１は、切替器４２に接続されており、受電した電力を蓄電装置２の各バッテリ２１、２２、２３に充電可能な直流電力に変換して当該切替器４２に出力する。
【００２２】
切替器４２は、蓄電装置２の各バッテリ２１、２２、２３の充電／放電の状態を切り替え可能なものである。切替器４２は、種々のスイッチ、切替回路等を含んで構成される。切替器４２は、上述したように受電変換器４１に接続されると共に、蓄電装置２の各バッテリ２１、２２、２３に接続される。切替器４２は、受電変換器４１から各バッテリ２１、２２、２３への電力の供給経路を接続／遮断することで、当該受電変換器４１から供給される電力の充電先を切り替えることができる。切替器４２は、受電変換器４１から供給される電力によって、バッテリ２１、２２、２３のいずれか、あるいは、すべてを充電することができる。さらに、切替器４２は、変換器６等を介して電気設備１０１にも接続されている。切替器４２は、各バッテリ２１、２２、２３に蓄電されている電力を放電させ、変換器６等を介して電気設備１０１側に供給することができる。変換器６は、例えば、コンバータや整流器等の種々の変換器、変換回路を含んで構成され、供給される電力を電気設備１０１で使用可能な電力に変換して電気設備１０１側に供給するものである。これにより、各電気設備１０１は、各バッテリ２１、２２、２３からの電力が供給されることで当該各バッテリ２１、２２、２３からの電力によって作動することができる。なお、各電気設備１０１は、変換器６等を介して商用電源４００から直接的に電力が供給される構成であってもよい。
【００２３】
切替器４３は、蓄電装置２からインバータ４４への電力の供給状態を切り替え可能なものである。切替器４３は、種々のスイッチ、切替回路等を含んで構成される。切替器４３は、一端がバッテリ２３と切替器４２との共通接続点に接続され、他端がインバータ４４に接続される。切替器４３は、蓄電装置２のバッテリ２３（あるいはバッテリ２１、２２）からインバータ４４への電力の供給経路を接続／遮断することで、当該バッテリ２３とインバータ４４との間で相互に電力を授受できる供給状態と、当該電力の授受を遮断した遮断状態とに切り替えることができる。
【００２４】
インバータ４４は、蓄電装置２からの電力を電動機３４ｂに供給するものである。インバータ４４は、上述したように、一端が切替器４３に接続され、他端が電動機３４ｂに接続される。インバータ４４は、典型的には、切替器４３が供給状態にある場合に、蓄電装置２のバッテリ２３（あるいはバッテリ２１、２２）から供給される直流電力を、任意の電流、周波数の三相交流に変換し、電動機３４ｂに供給し、当該電動機３４ｂを駆動する。また、インバータ４４は、切替器４３が供給状態にある場合に、乗りかご３１の制動時等、昇降機３の回生走行時に電動機３４ｂによって回生発電された回生電力を、交流から直流に変換して蓄電装置２のバッテリ２３（あるいはバッテリ２１、２２）に充電することもできる。
【００２５】
統合制御装置４５は、建物１００において、昇降機３の電力状態と建物１００側の電力状態とを監視しこれらを協調させて各部を統括的に制御するものである。統合制御装置４５は、通常の形式の双方向コモン・バスにより相互に連結されたＣＰＵ（中央演算処理装置）、ＲＯＭ、ＲＡＭ、バックアップＲＡＭ及び入出力ポート装置を有するマイクロコンピュータ及び駆動回路を備えている。ＲＯＭ（Ｒｅａｄ  Ｏｎｌｙ  Ｍｅｍｏｒｙ）は、所定の制御プログラム等を予め記憶している。ＲＡＭ（Ｒａｎｄｏｍ  Ａｃｃｅｓｓ  Ｍｅｍｏｒｙ）は、ＣＰＵの演算結果を一時記憶する。バックアップＲＡＭは、予め用意されたマップデータ、建物１００の電気設備１０１の概要等の情報を記憶する。統合制御装置４５は、エレベータ制御装置４６、バッテリ制御装置４７等と電気的に接続される。統合制御装置４５は、エレベータ制御装置４６、及び、バッテリ制御装置４７と相互に検出信号や駆動信号、制御指令等の情報の通信、授受を行い、建物１００の電力状態を管理する。また、統合制御装置４５は、他の建物２００、３００の制御装置（不図示）にも電気的に接続されており、建物１００、２００、３００の電力使用量に関する情報や蓄電装置２の蓄電状態に関する情報等を相互に通信、授受を行うことができる。これにより、統合制御装置４５は、建物１００と建物２００、３００とを連係させて、これら建物１００、２００、３００を含む地域全体で電力状態を管理することもできる。
【００２６】
エレベータ制御装置４６は、昇降機３の各部の動作を統括的に制御するものである。エレベータ制御装置４６は、通常の形式の双方向コモン・バスにより相互に連結されたＣＰＵ（中央演算処理装置）、ＲＯＭ、ＲＡＭ、バックアップＲＡＭ及び入出力ポート装置を有するマイクロコンピュータ及び駆動回路を備えている。ＲＯＭ（Ｒｅａｄ  Ｏｎｌｙ  Ｍｅｍｏｒｙ）は、所定の制御プログラム等を予め記憶している。ＲＡＭ（Ｒａｎｄｏｍ  Ａｃｃｅｓｓ  Ｍｅｍｏｒｙ）は、ＣＰＵの演算結果を一時記憶する。バックアップＲＡＭは、予め用意されたマップデータ、昇降機３の仕様等の情報を記憶する。エレベータ制御装置４６は、種々のセンサ、検出器、バッテリ２３の電流計２４、電圧計２５、かご操作盤３６、荷重検出器３７、乗場操作盤３８、かご案内装置３９Ａ、乗場案内装置３９Ｂ、切替器４３、インバータ４４等と電気的に接続される。エレベータ制御装置４６は、例えば、かご操作盤３６、乗場操作盤３８等への利用者からの操作入力に応じて、巻上機３４の駆動を制御し、乗りかご３１を昇降路内で昇降させる。これにより、昇降機３は、乗りかご３１を呼び登録に応じて指定された目的階に移動させることができる。
【００２７】
バッテリ制御装置４７は、蓄電装置２の蓄電状態を監視し、充放電を制御するものである。バッテリ制御装置４７は、通常の形式の双方向コモン・バスにより相互に連結されたＣＰＵ（中央演算処理装置）、ＲＯＭ、ＲＡＭ、バックアップＲＡＭ及び入出力ポート装置を有するマイクロコンピュータ及び駆動回路を備えている。ＲＯＭ（Ｒｅａｄ  Ｏｎｌｙ  Ｍｅｍｏｒｙ）は、所定の制御プログラム等を予め記憶している。ＲＡＭ（Ｒａｎｄｏｍ  Ａｃｃｅｓｓ  Ｍｅｍｏｒｙ）は、ＣＰＵの演算結果を一時記憶する。バックアップＲＡＭは、予め用意されたマップデータ、蓄電装置２の仕様等の情報を記憶する。バッテリ制御装置４７は、種々のセンサ、検出器、バッテリ２１、２２の電流計２４、電圧計２５、受電変換器４１、切替器４２等と電気的に接続される。バッテリ制御装置４７は、例えば、バッテリ２１、２２の電流計２４、電圧計２５による検出結果に基づいて、バッテリ２１、２２の蓄電状態を監視し、例えば、電気設備１０１からの電力要求等に応じて受電変換器４１、切替器４２等を制御することで、バッテリ２１、２２の充放電を制御する。また、バッテリ制御装置４７は、統合制御装置４５を介してエレベータ制御装置４６からバッテリ２３の電流計２４、電圧計２５による検出結果に関する情報を受け取り、当該バッテリ２３の蓄電状態も監視することができる。そして、バッテリ制御装置４７は、電気設備１０１からの電力要求等に応じて受電変換器４１、切替器４２等を制御することで、バッテリ２３の充放電を制御することもできる。なお、バッテリ制御装置４７は、バッテリ２３の電流計２４、電圧計２５に電気的に接続され、当該バッテリ２３の電流計２４、電圧計２５による検出結果を直接的に取得可能なように構成されてもよい。
【００２８】
本実施形態の電力システム１は、上記構成により様々な電力状態を実現可能である。
【００２９】
例えば、電力システム１は、蓄電装置２に電力を蓄電する場合、商用電源４００の健全時、停電時の両方において、太陽光パネル５からの電力を、受電変換器４１、切替器４２等を介して、バッテリ２１、２２、２３に充電することができる。また、電力システム１は、蓄電装置２に電力を蓄電する場合、商用電源４００の健全時において、商用電源４００からの電力を、受電変換器４１、切替器４２等を介して、バッテリ２１、２２、２３に充電することができる。また、電力システム１は、蓄電装置２に電力を蓄電する場合、商用電源４００の健全時、停電時の両方において、昇降機３の回生走行時に巻上機３４の電動機３４ｂによって回生発電された回生電力を、インバータ４４、切替器４３等を介して、バッテリ２３に優先的に充電することができる。また、電力システム１は、バッテリ２３が満充電状態である場合には、当該電動機３４ｂによって回生発電された回生電力を、インバータ４４、切替器４３、切替器４２等を介して、バッテリ２１、２２に充電することもできる。また、電力システム１は、蓄電装置２に電力を蓄電する場合、商用電源４００の健全時、停電時の両方において、建物２００、３００等から余剰電力を受電し、当該余剰電力を、受電変換器４１、切替器４２等を介して、バッテリ２１、２２、２３に充電することもできる。
【００３０】
なお、電力システム１は、上記のようにして蓄電装置２に電力を蓄電する場合、例えば、商用電源４００からの電力をカットした状態で、太陽光パネル５からの電力や電動機３４ｂによる回生電力を優先利用して、バッテリ２１、２２、２３に充電するようにしてもよい。そして、電力システム１は、太陽光パネル５による発電ができない場合や太陽光パネル５による発電、及び、電動機３４ｂによる回生発電では発電量が十分でない場合等に、商用電源４００からの電力によって、バッテリ２１、２２、２３に充電するようにしてもよい。これにより、電力システム１は、商用電源４００からの電力を極力使用せずに、昇降機３や各電気設備１０１を作動させることができる。
【００３１】
また、電力システム１は、蓄電装置２に蓄電された電力を用いる場合、商用電源４００の健全時、停電時の両方において、バッテリ２１、２２からの電力を切替器４２、変換器６等を介して各電気設備１０１に供給し、当該各電気設備１０１を作動させることができる。電力システム１は、商用電源４００の健全時においては、あわせて、商用電源４００からの電力を、変換器６等を介して各電気設備１０１に供給し、当該各電気設備１０１を作動させることもできる。また、電力システム１は、商用電源４００の健全時、停電時の両方において、バッテリ２３からの電力を、切替器４３、インバータ４４等を介して昇降機３に供給し、昇降機３の運転を行うことができる。また、電力システム１は、商用電源４００の健全時、停電時の両方において、バッテリ２１、２２からの電力を、切替器４２、切替器４３、インバータ４４等を介して昇降機３に供給し、昇降機３の運転を行うことができる。また、電力システム１は、商用電源４００の健全時、停電時の両方において、バッテリ２３からの電力を、切替器４２、変換器６等を介して、各電気設備１０１に供給し、各電気設備１０１を作動させることができる。また、電力システム１は、商用電源４００の健全時、停電時の両方において、蓄電装置２に蓄電された余剰分の電力を、切替器４２及び不図示の変換器等を介して建物２００、３００に融通するようにすることもできる。
【００３２】
そして、昇降機３は、蓄電装置２のバッテリ２３等（必要に応じてバッテリ２１、２２）から電力が供給されている状態で、利用者によりかご操作盤３６、乗場操作盤３８等を介して乗りかご３１の呼び操作が行われた場合、通常運転として、下記のように動作する。すなわち、昇降機３は、かご操作盤３６、乗場操作盤３８からエレベータ制御装置４６にこれに応じた呼び登録信号が入力される。そして、昇降機３は、エレベータ制御装置４６がこの呼び登録信号に応じて乗りかご３１のかご呼び登録、あるいは、乗場呼び登録を行う。そして、エレベータ制御装置４６は、この呼び登録、種々のセンサ、検出器からの出力、乗りかご３１の現在の移動方向（昇降方向）等に基づいて、乗りかご３１が合理的に移動しながらそれぞれの呼びに応答するように乗りかご３１の着床順序を定める。そして、エレベータ制御装置４６は、巻上機３４を駆動制御し、乗りかご３１を目的の階床へと移動させる。これにより、昇降機３は、乗りかご３１が昇降路内を鉛直方向上下に昇降移動し、任意の目的階の乗場３５に移動する。そして、昇降機３は、乗りかご３１が目的階の乗場３５に着床し、所定の着床位置に着床したことが検出されると、その後、エレベータ制御装置４６が乗りかご３１及び乗場３５の扉を開放する。これにより、乗場３５で待機している利用者は、乗りかご３１内に乗り込むことが可能となり、また、乗りかご３１内の利用者は乗場３５に降りることが可能となる。
【００３３】
そして、本実施形態の電力システム１は、さらに、電力情報取得装置７を備え、制御装置４が当該電力情報取得装置７から建物１００の電力使用量に関する情報を取得し、これに基づいてピークカット制御を実行する。これにより、電力システム１は、昇降機３と当該昇降機３が設けられる建物１００での電力使用状態とを連係させて、適正に昇降機３を運転させている。
【００３４】
本実施形態の電力システム１は、制御装置４の統合制御装置４５に電力情報取得装置７が電気的に接続されている。電力情報取得装置７は、昇降機３が設置された建物１００全体の電力使用量を演算するものである。統合制御装置４５は、電力情報取得装置７と相互に電力使用量に関する情報の通信、授受を行う。統合制御装置４５は、電力情報取得装置７から建物１００の電力使用量に関する情報を取得する。
【００３５】
そして、統合制御装置４５は、電力情報取得装置７から取得した建物１００の電力使用量と、予め設定されるピークカット開始判定値、及び、ピークカット復帰判定値に基づいて、ピークカット制御を実行可能である。
【００３６】
本実施形態の統合制御装置４５は、ピークカット制御では、建物１００の電力使用量がピークカット開始判定値を超えた場合に昇降機３を通常運転からパーキング状態とする。一方、統合制御装置４５は、昇降機３のパーキング状態で、建物１００の電力使用量が、ピークカット開始判定値より小さいピークカット復帰判定値を下回った場合に、昇降機３をパーキング状態から通常運転に復帰させる。
【００３７】
つまり、本実施形態の統合制御装置４５は、ピークカット制御のＯＮ／ＯＦＦを判定するための判定値であるピークカット開始判定値、及び、ピークカット復帰判定値に対して所定のヒステリシスが設けられる。これにより、電力システム１は、ピークカット制御のＯＮ／ＯＦＦ、すなわち、通常運転からパーキング状態への切り替えと、パーキング状態から通常運転への切り替えとが頻繁に繰り返されることを抑制している。
【００３８】
ここで、上記昇降機３の通常運転とは、昇降機３を昇降させる状態であり、上述したように、利用者による呼び操作等に応じて乗りかご３１を指定された目的階に移動させる運転である。一方、昇降機３のパーキング状態とは、昇降機３の昇降を停止させ当該昇降機３での電力使用量を通常運転のときより抑制した状態である。
【００３９】
統合制御装置４５は、例えば、昇降機３が通常運転を行っている際には、電力情報取得装置７から取得した建物１００の電力使用量を監視し、当該建物１００の電力使用量と予め設定されるピークカット開始判定値とを比較する。そして、統合制御装置４５は、建物１００の電力使用量がピークカット開始判定値を超えたと判定した場合に昇降機３を通常運転からパーキング状態とする。
【００４０】
この場合、統合制御装置４５は、エレベータ制御装置４６にピークカット指令信号を送信する。エレベータ制御装置４６は、当該ピークカット指令信号に基づいて、昇降機３を通常運転からパーキング状態に移行させる。昇降機３は、パーキング状態では、乗りかご３１が最寄階、又は、予め設定される基準階（例えばロビー階等）に着床して停止し、待機状態とされる。エレベータ制御装置４６は、例えば、切替器４３を遮断状態とし、蓄電装置２とインバータ４４との電力の授受を遮断し、乗りかご３１を確実に制動状態とする。この場合、統合制御装置４５は、乗りかご３１を着床させ停止し、例えば、利用者が乗りかご３１内にいれば一旦戸開し、一定時間経過後に戸閉するようにしてもよい。さらに、統合制御装置４５は、既に登録されている乗場及びかご呼びへの対応はせずに、新たにに登録される乗場及びかご呼びへの対応も行わないようにしてもよい（なお、操作盤等のメモリから当該呼び登録を削除するか維持するかは任意設定可能である）。また、統合制御装置４５は、パーキング状態に移行した際には、かご案内装置３９Ａ、乗場案内装置３９Ｂ等を介して運転が変更になることを、音声案内や案内表示により案内し、当該昇降機３がパーキング状態であることを周知するようにしてもよい。これにより、電力システム１は、ピークカット制御により昇降機３がパーキング状態とされることで、建物１００全体での電力使用量が相対的に大きくなった場合に、当該建物１００全体における電力使用量を抑制することができる。
【００４１】
なお、エレベータ制御装置４６は、統合制御装置４５からのピークカット指令信号を受信し、昇降機３をパーキング状態に移行させるまでの乗りかご３１の昇降において、当該乗りかご３１の昇降速度を通常運転の場合の定格速度と比較して相対的に低くするようにしてもよい。これにより、電力システム１は、ピークカット指令が発生して昇降機３が実際にパーキング状態に至るまでの過程でも電力使用量の低減を図ることができる。エレベータ制御装置４６は、昇降機３のパーキング状態では、さらに、空調機器の作動停止、照明の消灯、各種案内の停止、各種操作の受け付け禁止等により、さらなる電力使用量の低減を図ってもよい。
【００４２】
そして、統合制御装置４５は、例えば、上記のようなピークカット制御による昇降機３のパーキング状態で、電力情報取得装置７から取得した建物１００の電力使用量を監視し、当該建物１００の電力使用量と予め設定されるピークカット復帰判定値とを比較する。そして、統合制御装置４５は、建物１００の電力使用量がピークカット復帰判定値を下回ったと判定した場合に昇降機３をパーキング状態から通常運転に復帰させる。
【００４３】
この場合、統合制御装置４５は、エレベータ制御装置４６にピークカット復帰指令信号を送信する。エレベータ制御装置４６は、当該ピークカット復帰指令信号に基づいて、昇降機３をパーキング状態から通常運転に移行させる。エレベータ制御装置４６は、例えば、切替器４３を供給状態とし、蓄電装置２とインバータ４４との間で相互に電力を授受できる状態とする。これにより、電力システム１は、ピークカット制御により昇降機３がパーキング状態とされた状態で、建物１００全体での電力使用量が相対的に小さくなり、昇降機３を運転させるのに十分な電力が確保できるようになった場合に、昇降機３を自動で通常運転に復帰させることができる。
【００４４】
ここで、上述したピークカット開始判定値、及び、ピークカット復帰判定値は、予め設定された固定値を用いてもよいが、ここでは、統合制御装置４５は、建物１００の電力状態に応じて、ピークカット開始判定値、ピークカット復帰判定値を可変設定する。これにより、電力システム１は、建物１００における電力の需給状態に応じて最適なピークカットを行うことができる。
【００４５】
典型的には、ピークカット復帰判定値は、ピークカット開始判定値より小さな値に設定される。そして、統合制御装置４５は、例えば、商用電源４００の健全時、停電時の両方において、蓄電装置２の残存蓄電量に基づいて、ピークカット開始判定値、及び、ピークカット復帰判定値を設定する。この場合、ピークカット開始判定値、ピークカット復帰判定値は、例えば、ピークカット制御によって蓄電装置２の残存蓄電量が所定以上に保持されるように設定される。統合制御装置４５は、蓄電装置２の残存蓄電量が相対的に少ない場合には、昇降機３での電力使用量を抑制すべく、ピークカット開始判定値、ピークカット復帰判定値を相対的に小さな値に設定する。一方、統合制御装置４５は、蓄電装置２の残存蓄電量が相対的に多い場合には、昇降機３にてより多くの電力使用を許容すべく、ピークカット開始判定値、ピークカット復帰判定値を相対的に大きな値に設定する。これにより、統合制御装置４５は、蓄電装置２の残存蓄電量に基づいて適切なピークカット開始判定値、ピークカット復帰判定値を設定することができ、蓄電装置２の残存蓄電量に基づいた適切なピークカット制御を行うことができる。
【００４６】
ここでは、統合制御装置４５は、エレベータ制御装置４６やバッテリ制御装置４７から取得する電流計２４や電圧計２５による検出結果に基づいて、蓄電装置２の残存蓄電量を監視することができる。なお、当該ピークカット開始判定値、ピークカット復帰判定値の設定に用いる蓄電装置２の残存蓄電量は、昇降機３がバッテリ２３だけで運転されるような場合には、当該バッテリ２３の残存蓄電量を用いる。また、当該蓄電装置２の残存蓄電量は、昇降機３がバッテリ２１、２２、２３全てで運転されるような場合には、当該バッテリ２１、２２、２３全ての残存蓄電量の合計値を用いる。
【００４７】
また、統合制御装置４５は、例えば、上述したように、商用電源４００の健全時において、商用電源４００からの電力によってバッテリ２１、２２、２３を充電している場合や商用電源４００からの電力によって各電気設備１０１を作動させている場合には、下記のようにしてピークカット開始判定値、及び、ピークカット復帰判定値を設定するようにしてもよい。すなわち、この場合、統合制御装置４５は、さらに、建物１００の設定許容使用量に基づいて、ピークカット開始判定値、及び、ピークカット復帰判定値を設定するようにしてもよい。ここで、建物１００の設定許容使用量とは、予め設定される任意の使用量であり、例えば、建物１００ごとに契約されている契約定格電力使用量等に基づいて設定される。この場合、ピークカット開始判定値、ピークカット復帰判定値は、例えば、ピークカット制御によって建物１００の実際の電力使用量が設定許容使用量以下に保持されるように設定される。これにより、統合制御装置４５は、建物１００ごとの設定許容使用量に基づいて適切なピークカット開始判定値、ピークカット復帰判定値を設定することができ、例えば、建物１００の実際の電力使用量が契約定格電力使用量以下になるように適切なピークカット制御を行うことができる。
【００４８】
ピークカット開始判定値、及び、ピークカット復帰判定値は、例えば、蓄電装置２の残存蓄電量と設定許容使用量との対応関係が予め設定され、制御マップや数式モデルとして記憶部（例えば、後述の図２の判定値記憶部４５ｃ等）に記憶される。ピークカット開始判定値、及び、ピークカット復帰判定値は、さらに、建物１００全体での電気設備１０１の台数、負荷、電力使用量の最大値（ピーク）等の統計的な傾向、季節や時間帯に応じた電力使用の傾向等に基づいて設定されてもよい。
【００４９】
ここで、統合制御装置４５は、上記のように、建物１００の電力使用量とピークカット開始判定値、ピークカット復帰判定値とを比較する場合、比較対象時点での瞬時的な電力使用量と各判定値とを比較してもよいが、判定に用いる建物１００の電力使用量は、予め設定される所定期間の移動平均に基づいて算出されるようにしてもよい。統合制御装置４５は、例えば、電力情報取得装置７から取得した建物１００の電力使用量に基づいて、比較対象時点の直近の所定期間（例えば、比較対象時点の直近の５分間）における当該電力使用量の移動平均を算出し、時間の経過と共に当該電力使用量の移動平均を最新の値に随時更新していくようにしてもよい。そして、統合制御装置４５は、ピークカット開始判定値、ピークカット復帰判定値との比較に用いる建物１００の電力使用量として、当該電力使用量の移動平均を用いる。これにより、電力システム１は、建物１００において瞬間的に電力使用量が大きく変動した場合であっても、この大きな変動がピークカット制御に与える影響を相対的に小さくすることができ、より安定したピークカット制御とすることができる。なお、統合制御装置４５は、基本的には、建物１００の電力使用量の単純移動平均で用いればよいが、例えば、所定の重み付けを行った加重移動平均を用いてもよい。
【００５０】
次に、図２を参照して統合制御装置４５の概略構成の一例を説明する。
【００５１】
統合制御装置４５は、機能概念的に、電力使用量計測部４５ａ、電力使用量判定部４５ｂ、判定値記憶部４５ｃ、エレベータ指令部４５ｄ等を含んで構成される。
【００５２】
電力使用量計測部４５ａは、電力情報取得装置７から建物１００の電力使用量を取得し、取得した電力使用量に基づいて、比較対象時点の直近の所定期間における当該電力使用量の移動平均を計測する。電力使用量計測部４５ａは、計測した建物１００の電力使用量の移動平均を電力使用量判定部４５ｂに送信する。
【００５３】
電力使用量判定部４５ｂは、電力使用量計測部４５ａから送信された建物１００の電力使用量の移動平均と、ピークカット開始判定値、ピークカット復帰判定値とを比較する。このとき、電力使用量判定部４５ｂは、蓄電装置２の残存蓄電量、予め設定されている建物１００の設定許容使用量、制御マップ等に基づいて、ピークカット開始判定値、ピークカット復帰判定値を設定する。この場合、蓄電装置２の残存蓄電量は、エレベータ制御装置４６やバッテリ制御装置４７から取得すればよい。また、上記制御マップは、ピークカット開始判定値、ピークカット復帰判定値と、残存蓄電量と、設定許容使用量との対応関係が予め設定された制御マップであり、判定値記憶部４５ｃに記憶されているものを用いればよい。電力使用量判定部４５ｂは、建物１００の電力使用量の移動平均と、ピークカット開始判定値、ピークカット復帰判定値との比較結果をエレベータ指令部４５ｄに送信する。
【００５４】
エレベータ指令部４５ｄは、電力使用量判定部４５ｂから送信されたピークカット開始判定値、ピークカット復帰判定値との比較結果に基づいて、ピークカット指令信号、あるいは、ピークカット復帰指令信号をエレベータ制御装置４６に送信する。エレベータ指令部４５ｄは、電力使用量判定部４５ｂによって建物１００の電力使用量の移動平均がピークカット開始判定値を超えたと判定された場合、ピークカット指令信号をエレベータ制御装置４６に送信する。これにより、エレベータ制御装置４６は、昇降機３を通常運転からパーキング状態に移行させる。一方、エレベータ指令部４５ｄは、電力使用量判定部４５ｂによって建物１００の電力使用量の移動平均がピークカット復帰判定値を下回ったと判定された場合、ピークカット復帰指令信号をエレベータ制御装置４６に送信する。これにより、エレベータ制御装置４６は、昇降機３をパーキング状態から通常運転に復帰させる。
【００５５】
次に、図３のフローチャートを参照して制御装置４による制御の一例を説明する。なお、これらの制御ルーチンは、数ｍｓないし数十ｍｓ毎の制御周期で繰り返し実行される。
【００５６】
まず、制御装置４は、現在の建物１００の電力状態に基づいて、ピークカット開始判定値、ピークカット復帰判定値を設定する（ステップＳＴ１）。制御装置４は、例えば、蓄電装置２の残存蓄電量、建物１００の設定許容使用量等に基づいてピークカット開始判定値、ピークカット復帰判定値を設定する。
【００５７】
次に、制御装置４は、建物１００の電力使用量を計測する（ステップＳＴ２）。制御装置４は、例えば、電力情報取得装置７から取得した建物１００の電力使用量に基づいて、現時点の直近の所定期間における当該電力使用量の移動平均を算出する。
【００５８】
次に、制御装置４は、ステップＳＴ２で計測した建物１００の電力使用量（移動平均）が、ステップＳＴ１で設定したピークカット開始判定値より大きいか否かを判定する（ステップＳＴ３）。制御装置４は、建物１００の電力使用量（移動平均）がピークカット開始判定値以下であると判定した場合（ステップＳＴ３：Ｎｏ）、現在の制御周期を終了し、次の制御周期に移行する。
【００５９】
制御装置４は、建物１００の電力使用量（移動平均）がピークカット開始判定値より大きいと判定した場合（ステップＳＴ３：Ｙｅｓ）、昇降機３を通常運転からパーキング状態とし、ピークカットを行う（ステップＳＴ４）。
【００６０】
次に、制御装置４は、ステップＳＴ２と同様に、再度、建物１００の電力使用量を計測する（ステップＳＴ５）。
【００６１】
次に、制御装置４は、ステップＳＴ５で計測した建物１００の電力使用量（移動平均）が、ステップＳＴ１で設定したピークカット復帰判定値より小さいか否かを判定する（ステップＳＴ６）。制御装置４は、建物１００の電力使用量（移動平均）がピークカット復帰判定値以上であると判定した場合（ステップＳＴ６：Ｎｏ）、処理をステップＳＴ５に移行させる。
【００６２】
制御装置４は、建物１００の電力使用量（移動平均）がピークカット復帰判定値より小さいと判定した場合（ステップＳＴ６：Ｙｅｓ）、昇降機３をパーキング状態から通常運転に復帰させ、ピークカットから復帰させて（ステップＳＴ７）、現在の制御周期を終了し、次の制御周期に移行する。
【００６３】
図４は、上記のように構成される電力システム１における動作の一例を説明する線図である。図４は、横軸を１日２４時間の時間軸（ｔ）とし、縦軸を建物１００の電力使用量Ｗとしている。図４中、線Ｌ１は、建物１００全体での合計の電力使用量Ｗを表している。線Ｌ２は、建物１００の電気設備１０１、例えば、照明機器の電力使用量Ｗを表している。線Ｌ３は、建物１００に設けられた昇降機３の電力使用量Ｗを表している。線Ｌ４は、建物１００の電気設備１０１、例えば、上下水道ポンプの電力使用量Ｗを表している。なおここでは、建物１００の電気設備１０１として、一例として照明機器の電力使用量Ｗ（線Ｌ２）、上下水道ポンプの電力使用量Ｗ（線Ｌ４）を図示しているがこれに限らず、建物１００全体での合計の電力使用量Ｗは、その他の電気設備１０１の電力使用量Ｗも含めた建物１００全体での合計の電力使用量Ｗである。
【００６４】
上記のように構成される電力システム１は、蓄電装置２によって駆動する昇降機３において、建物１００全体での電力使用量Ｗに基づいてピークカット制御を行う。これにより、この電力システム１は、ピークカット制御により昇降機３がパーキング状態とされることで、建物１００全体での電力使用量が相対的に大きくなった場合に、当該建物１００全体における電力使用量を抑制することができる。一方、電力システム１は、ピークカット制御により昇降機３がパーキング状態とされた状態で、建物１００全体での電力使用量が相対的に小さくなった場合に、昇降機３を自動で通常運転に復帰させることができる。
【００６５】
このとき、電力システム１は、例えば、図４に示すように、建物１００の合計の電力使用量Ｗがピークカット開始判定値ＴｈＷ１を超えた場合（図４中の時刻ｔ１参照）に、昇降機３を通常運転からパーキング状態とすることでピークカットを行い、電量使用量を抑制する。そして、電力システム１は、建物１００の合計の電力使用量Ｗがピークカット開始判定値ＴｈＷ１より小さいピークカット復帰判定値ＴｈＷ１を下回った場合（図４中の時刻ｔ２参照）に、昇降機３をパーキング状態から通常運転に復帰させる。したがって、電力システム１は、ピークカット制御のＯＮ／ＯＦＦ、すなわち、通常運転からパーキング状態への切り替えと、パーキング状態から通常運転への切り替えとが頻繁に繰り返されることを抑制することができ、安定したピークカット制御とすることができる。この結果、電力システム１は、昇降機３と当該昇降機３が設けられる建物１００での電力使用状態とを連係させて、適正に昇降機を運転させることができる。
【００６６】
また、電力システム１は、ピークカット開始判定値、ピークカット復帰判定値を蓄電装置２の残存蓄電量や建物１００の設定許容使用量等に基づいて可変設定する。したがって、電力システム１は、蓄電装置２の残存蓄電量や建物１００ごとの設定許容使用量等に基づいた適切なピークカット制御を行うことができる。
【００６７】
また、電力システム１は、予め設定される所定期間の移動平均に基づいて算出される建物１００の電力使用量に基づいて、ピークカット制御を行う。したがって、電力システム１は、建物１００における瞬間的な電力使用量の変動がピークカット制御に与える影響を相対的に小さくすることができ、より安定したピークカット制御とすることができる。
【００６８】
そして、電力システム１は、上記のように、建物１００全体での電力使用量Ｗに基づいて適正にピークカット制御を行うことで、商用電源４００の健全時、停電時にかかわらず、例えば、昇降機３用の電力を、建物１００の他の電気設備１０１、より優先度の高い電気設備１０１等に融通することができる。この結果、電力システム１は、昇降機３が設けられる建物１００全体で電力状態を最適化し、蓄電装置２の電力を効果的に利用することができる。
【００６９】
なお、この電力システム１は、昇降機３が設けられる建物１００とは別の他の建物２００、３００と連係し、昇降機３が設けられる建物１００の電力使用量と他の建物２００、３００の電力使用量との合計の電力使用量に基づいて、ピークカット制御を実行可能である。例えば、電力システム１は、建物１００、２００、３００等を含む地域全体の合計の電力使用量がピークカット開始判定値を超えた場合に昇降機３を通常運転からパーキング状態とし、当該地域全体の合計の電力使用量がピークカット復帰判定値を下回った場合に、昇降機３をパーキング状態から通常運転に復帰させるようにしてもよい。この場合、電力システム１は、例えば、昇降機３を通常運転からパーキング状態としピークカットを行っている際に、建物１００の蓄電装置２の電力を他の建物２００、３００に融通してもよいし、建物２００、３００等から電力を受けて建物１００の電気設備１０１を作動させるようにしてもよい。この結果、電力システム１は、昇降機３が設けられる建物１００だけでなく、建物１００、２００、３００等を含む地域全体で電力状態を最適化し、蓄電装置２の電力を効果的に利用することができる。
【００７０】
以上で説明した昇降機３を備えた建物１００の電力システム１は、蓄電装置２と、昇降機３と、制御装置４とを備える。蓄電装置２は、建物１００の電気設備１０１を作動させる電力を蓄電可能である。昇降機３は、建物１００に設けられ蓄電装置２からの電力により昇降する。制御装置４は、建物１００の電力使用量に関する情報を取得し、当該建物１００の電力使用量がピークカット開始判定値を超えた場合に昇降機３を通常運転からパーキング状態とし、当該昇降機３のパーキング状態で、建物１００の電力使用量がピークカット開始判定値より小さいピークカット復帰判定値を下回った場合に、昇降機３をパーキング状態から通常運転に復帰させるピークカット制御を実行可能である。
【００７１】
したがって、この電力システム１は、商用電源４００の健全時、停電時にかかわらず、昇降機３と当該昇降機３が設けられる建物１００での電力使用状態とを連係させて、適正に昇降機３を運転させることができ、例えば、蓄電装置２の電力を効果的に利用することができる。この結果、電力システム１は、例えば、昇降機３を備えた建物１００の全体で電力のマネージメントを効率的に行い、省エネルギで昇降機３を運用することができる。また、電力システム１は、例えば、昇降機３が設けられる建物１００とは別の他の建物２００、３００とも連係可能であり、これら建物１００、２００、３００を含む地域全体で電力のマネージメントを効率的に行うことができる。なお、電力システム１は、例えば、商用電源４００からの電力を用いないで、商用電源４００の健全時、停電時を問わず、建物１００の電気設備１０１と昇降機３の双方を蓄電装置２からの電力だけで作動させるような構成であってもよい。この場合、電力システム１は、昇降機３と当該昇降機３が設けられる建物１００での電力使用状態とを連係させて、適正に昇降機３を運転させることができる、という効果をより好適に発揮することができる。
【００７２】
なお、上述した実施形態に係る昇降機を備えた建物の電力システムは、上述した実施形態に限定されず、特許請求の範囲に記載された範囲で種々の変更が可能である。
【００７３】
以上で説明した実施形態、変形例に係る昇降機を備えた建物の電力システムによれば、昇降機と当該昇降機が設けられる建物での電力使用状態とを連係させて、適正に昇降機を運転させることができる。
【００７４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７５】
１    電力システム
２    蓄電装置
３    昇降機
４    制御装置
５    太陽光パネル
６    変換器
７    電力情報取得装置
２１、２２、２３    バッテリ
２４    電流計
２５    電圧計
３１    乗りかご
３２    カウンタウェイト
３３    メインロープ
３４    巻上機
３４ａ    メインシーブ
３４ｂ    電動機
３５    乗場
３６    かご操作盤
３７    荷重検出器
３８    乗場操作盤
３９Ａ    かご案内装置
３９Ｂ    乗場案内装置
４１    受電変換器
４２、４３    切替器
４４    インバータ
４５    統合制御装置
４５ａ    電力使用量計測部
４５ｂ    電力使用量判定部
４５ｃ    判定値記憶部
４５ｄ    エレベータ指令部
４６    エレベータ制御装置
４７    バッテリ制御装置
１００、２００、３００    建物
１０１    電気設備
４００    商用電源
【図１】
2014117040.tif 000003
【図２】
2014117040.tif 000004
【図３】
2014117040.tif 000005
【図４】
2014117040.tif 000006